(57)【要約】【課題】視聴者の目の高さに合うようにテレビ画面の高さを遠隔で自動調節することで、視聴者に実時間で最適な画面位置を提供すると共に、自動化によって画面の高さ調節を迅速で簡便に行えるようにした、壁掛け型テレビの画面位置調節装置を提供する。【解決手段】本発明による壁掛け型テレビの画面位置調節装置は、壁体５に固定設置され、両側端部に固定レール１２及び該固定レール１２の上でスライド可能なスライダー１４を備える固定プレート１０と、固定プレート１０のスライダー１４に両側端部が結合され、かつ前面にテレビジョン装置８が設置される昇降プレート２０と、固定プレート１０と昇降プレート２０にそれぞれ結合されて、昇降プレート２０を固定プレート１０に対して上下に昇降させる昇降操作部３０と、を備える。【選択図】図４
2007259452.tif 000002
【特許請求の範囲】
【請求項１】
壁体（５）に固定設置され、両側端部に固定レール（１２）及び該固定レール（１２）の上でスライド可能なスライダー（１４）を備えた固定プレート（１０）と、
前記固定プレート（１０）のスライダー（１４）に両側端部が結合され、かつ前面にテレビジョン装置（８）が設置される昇降プレート（２０）と、
前記固定プレート（１０）と前記昇降プレート（２０）にそれぞれ結合されて、前記昇降プレート（２０）を前記固定プレート（１０）に対して上下に昇降させる昇降操作部（３０）を備える、ことを特徴とする壁掛け型テレビの画面位置調節装置。
【請求項２】
前記昇降操作部（３０）は、
前記昇降プレート（２０）に設置され、軸回転されるロッド（３１ａ）が設置されているモーター（３１）と、
前記モーター（３１）のロッド（３１ａ）の端部に設置されて、該ロッド（３１ａ）の軸回転力を直角方向に転換させるギアボックス（３２）と、
前記ギアボックス（３２）を介して一端部が前記ロッド（３１ａ）と連結され、その他端部が前記昇降プレート（２０）の上方に延在するリードスクリュー（３３）と、
前記リードスクリュー（３３）に対してねじ結合されると共に、前記固定プレート（１０）に固定結合されて、前記リードスクリュー（３３）の回転によって、該リードスクリュー（３３）を上下方向に移動させるためのリードナット（３４）と、を備えることを特徴とする請求項１に記載の壁掛け型テレビの画面位置調節装置。
【請求項３】
前記ロッド（３１ａ）は、前記モーター（３１）の両側にそれぞれ突出しており、同じ構成をもつ前記ギアボックス（３２）、前記リードスクリュー（３３）、及び前記リードナット（３４）による結合構造を有する、ことを特徴とする請求項２に記載の壁掛け型テレビの画面位置調節装置。
【請求項４】
前記ギアボックス（３２）は、ウォームギア方式で前記ロッド（３１ａ）と前記リードスクリュー（３３）とを連結させる、ことを特徴とする請求項２又は３に記載の壁掛け型テレビの画面位置調節装置。
【請求項５】
前記昇降プレート（２０）は所定の部位にスクリュー支持部（２２）を有し、該スクリュー支持部（２２）は、前記リードスクリュー（３３）の上端部を覆うと共に、該リードスクリュー（３３）を回転可能に支持する、ことを特徴とする請求項４に記載の壁掛け型テレビの画面位置調節装置。
【発明の詳細な説明】
【技術分野】
【０００１】
本発明は壁掛け型テレビの画面位置調節装置に関し、より詳細には視聴者の目の高さに合うようにテレビ画面の高さを自動で調節するようにした壁掛け型テレビの画面位置調節装置に関する。
【背景技術】
【０００２】
一般的に大型液晶表示装置やプラズマ表示パネルを採用したテレビの大型化によって、室内で空間を容易に確保し、そして視聴者が視聴するのに最適な高さにテレビを位置させるための選択肢として、テレビを壁面に設置するようにした壁掛け型テレビが普及しつつある。このような壁掛け型テレビを壁面に設置する時には、ボルトなどの締結手段を使用して壁面に付着式で固定設置するか、又は昇降用ブラケットを壁面に予め設置した後、このブラケットの前面にテレビを装着して手動でテレビの画面位置を上下に調節する方式が主に使用されている。
【発明の開示】
【発明が解決しようとする課題】
【０００３】
しかしながら、このような従来の技術のテレビ設置方式の中で、ボルトなどの締結手段を使用した付着式は、視聴者の目の高さに合うようにテレビの画面位置を調節することが不可能である。またブラケットを使用した設置方式は、テレビ画面の高低を調節することはできるが、視聴者が直接に手動でテレビの画面位置を調節しなければならないという煩わしさがある。
【０００４】
本発明は、上述の問題点を解決するためになされたものであり、視聴者の目の高さに合うようにテレビ画面の高さを遠隔操作で自動調節することで、視聴者に実時間で最適な画面位置を提供すると共に、自動化によって画面の高さ調節を迅速で簡便に行えるようにした、壁掛け型テレビの画面位置調節装置を提供することを目的とする。
【課題を解決するための手段】
【０００５】
上記の目的を達成するために、本発明による壁掛け型テレビの画面位置調節装置は、壁体に固定設置され、両側端部に固定レール及び該固定レールの上でスライド可能なスライダーを備える固定プレートと、前記固定プレートのスライダーに両側端部が結合され、かつ前面にテレビが設置される昇降プレートと、前記固定プレートと昇降プレートにそれぞれ結合されて、前記昇降プレートを前記固定プレートに対して上下に昇降させる昇降操作部を備える。
【０００６】
また、本発明による壁掛け型テレビの画面位置調節装置において、前記昇降操作部は、前記昇降プレートに設置され、軸回転されるロッドが設置されているモーターと、前記モーターのロッドの端部に設置されて、該ロッドの軸回転力を直角方向に転換させるギアボックスと、前記ギアボックスを介して一端部がロッドと連結され、その他端部が前記昇降プレートの上方に延在するリードスクリューと、前記リードスクリューに対してねじ結合されると共に、前記固定プレートに固定結合されて、前記リードスクリューの回転によって該リードスクリューを上下方向に移動させるためのリードナットと、を備えることが望ましい。
【０００７】
また、本発明による壁掛け型テレビの画面位置調節装置において、前記モーターのロッドは、前記モーターの両側にそれぞれ突出しており、同じ構成の前記ギアボックス、前記リードスクリュー、及び前記リードナットによる結合構造を有することが望ましい。
【０００８】
本発明による壁掛け型テレビの画面位置調節装置において、前記ギアボックスは、ウォームギア方式でロッドとリードスクリューとを連結させることが望ましい。
【０００９】
また、本発明による壁掛け型テレビの画面位置調節装置において、前記昇降プレートは所定の部位にスクリュー支持部を有し、該スクリュー支持部は、前記リードスクリューの上端部を覆うと共に、前記リードスクリューを回転可能に支持することが望ましい。
【発明の効果】
【００１０】
以上のように、本発明による壁掛け型テレビの画面位置調節装置では、視聴者の目の高さに合うようにテレビ画面の高さを遠隔で自動調節することで、視聴者に実時間で最適な画面位置を提供すると共に、自動化によって画面の高さ調節を迅速で簡便に行えるなどの効果を得ることができる。
【発明を実施するための最良の形態】
【００１１】
以下、本発明の一実施例による壁掛け型テレビの画面位置調節装置を、添付した図面を参照して詳細に説明する。
【００１２】
図１乃至図６に示すように、本発明の一実施例による壁掛け型テレビの画面位置調節装置は、壁体５に固定設置され、両側端部に固定レール１２及びこの固定レール１２の上でスライド可能とされるスライダー１４を備えた固定プレート１０と、この固定プレート１０のスライダー１４に両側端部が結合され、前面にテレビジョン装置８が設置される昇降プレート２０と、固定プレート１０と昇降プレート２０にそれぞれ結合されて、昇降プレート２０を固定プレート１０に対して上下に昇降させる昇降操作部３０と、を含む構成となっている。
【００１３】
固定プレート１０は、壁体５に固定設置される鉄材の四角板形状であり、その両側には固定レール１２がそれぞれ設置されており、各固定レール１２の上には、上下方向にスライド可能なスライダー１４が結合されている。
【００１４】
また、各固定レール１２に隣接した固定プレート１０の内側には、リードナット３４が固定されるＬ字形をしたブラケット形状のナット固定部１６が付設されており、このナット固定部１６に隣接した内側において、固定プレート１０の上下方向の端部には、ボルトなどの所定の締結具（図示しない）を締結させるための締結孔１８がそれぞれに形成されている。一方、固定プレート１０の中央部は何ら役割をもたないので、材料を節減するために、鉄板の一部を切り取って貫通孔１９を形成することができる。
【００１５】
昇降プレート２０は、その下端部と幅方向の両端部がそれぞれ階段形状に屈曲され、下端屈曲部２０ａには昇降操作部３０のモーター３１が設置され、また、両端屈曲部２０ｂは四角板形状とされて固定プレート１０のスライダー１４と結合されるようになっている。特に下端屈曲部２０ａの両端部においては、昇降操作部３０のリードスクリュー３３が挿入されて、昇降プレート２０の背面側に配置されるように切り取られたスクリュー挿入部２０ｃが形成されている。
【００１６】
また、昇降プレート２０の背面両側の上端部には、リードスクリュー３３の上端部が覆われ、軸回転可能となるように支持するスクリュー支持部２２がそれぞれ設置されている。
【００１７】
そして、昇降プレート２０におけるスクリュー挿入部２０ｃの外側壁面に該当する部位には、昇降操作部３０のギアボックス３２を固定するためのギアボックス固定部２４が形成されている。
【００１８】
また、昇降プレート２０の中央平板部における４つのコーナー寄りの位置には、別途の締結具（図示しない）を介してテレビジョン装置８を固定装着させるための締結孔２５がそれぞれ形成されている。
【００１９】
昇降操作部３０は、昇降プレート２０の下端寄りにおいて幅方向の中央部に設置され、正逆方向に軸回転可能な円柱形状のロッド３１ａが設置されているモーター３１と、このモーター３１のロッド３１ａの端部に設置されて、このロッド３１ａの軸回転力を直角方向に転換させるギアボックス３２と、リードスクリュー３３及びリードナット３４を含む構成となっている。そして、リードスクリュー３３は、ギアボックス３２を介してロッド３１ａと一端部が連結され、その他端部が昇降プレート２０の上方に延在し、その外周面にねじが形成された円柱形状をなしている。また、リードナット３４は、このリードスクリュー３３に対してねじ結合されると共に、固定プレート１０に固定結合されて、リードスクリュー３３の回転によって、このリードスクリュー３３が上下方向に移動されるように該スクリューが軸方向の下面部を貫通し、かつ上面部を貫通した四角ボックス形状とされる。
【００２０】
また、モーター３１のロッド３１ａは、このモーター３１の両側において突出しており、それぞれ同じ構成のギアボックス３２、リードスクリュー３３、及びリードナット３４による結合構造を有する。
【００２１】
ギアボックス３２については、ウォームギア方式でロッド３１ａとリードスクリュー３３とが連結されるように構成することが望ましい。即ち、互いに連結されるロッド３１ａ及びリードスクリュー３３の端部にそれぞれウォームギアが連結されることにより、それぞれのウォームギア同士が互いに噛み合ってロッド３１ａの回転力を、直角方向に配置されているリードスクリュー３３に伝逹することができる。
【００２２】
尚、ギアボックス３２に関して、ウォームギア以外にも回転力を直角方向に転換するラックピニオンギア、ベベルギアなどの、多様なギアの組み合せを採用することができる。
【００２３】
このような構成による本発明の一実施例の壁掛け型テレビの画面位置調節装置では、壁体５に対して固定プレート１０を固定し、昇降プレート２０の背面にリードスクリュー３３が配置されるようにして昇降操作部３０を設置する。その後、固定プレート１０のスライダー１４に、昇降プレート２０の両端屈曲部２０ｂを結合させると共に、固定プレート１０のナット固定部１６に、昇降操作部３０のリードスクリュー３３と螺合されてねじ結合しているリードナット３４を固定結合させてから、最終的に、昇降プレート２０の前面の締結孔２５を介してテレビジョン装置８を固定装着する。こうして、本発明による壁掛け型テレビの画面位置調節装置が組み立てられて完成する。
【００２４】
このような状態において、視聴者は離れた場所にてリモートコントローラーなどの遠隔制御装置で各自の目の高さに合うようにテレビジョン装置８の画面の高さを調節することができるようになる。
【００２５】
例えば、テレビジョン装置８の画面についてその高低の調節をしようとする場合に、モーター３１を作動させて、ロッド３１ａが所望の方向に回転すると、このロッド３１ａの回転力が、ギアボックス３２を介して、直角方向に配置されているリードスクリュー３３を回転させることとなる。その結果、固定プレート１０に固定されているリードナット３４に対してリードスクリュー３３の移動が生じて、最終的に、リードスクリュー３３と一体で連結されている昇降プレート２０が所望の方向に昇降することになり、よってテレビジョン装置８の画面の高さを調節することができる。
【００２６】
尚、本発明の詳細な説明では具体的な実施例に関して説明したが、当業者であれば、本発明の思想及び範囲から逸脱することなく、様々な変形を加えた実施が可能である。
【００２７】
また、本発明の範囲が上記に説明した実施例に限定されることはなく、特許請求の範囲の記載だけでなく、この特許請求の範囲の記載事項と均等なものなどを包含する。
【図面の簡単な説明】
【００２８】
【図１】本発明の一実施例による壁掛け型テレビの画面位置調節装置の固定プレートを示す斜視図である。
【図２Ａ】本発明の一実施例による壁掛け型テレビの画面位置調節装置の昇降プレートを示す斜視図である。
【図２Ｂ】本発明の一実施例による壁掛け型テレビの画面位置調節装置の昇降プレートを示す背面図である。
【図３Ａ】本発明の一実施例による壁掛け型テレビの画面位置調節装置の昇降操作部を示す斜視図である。
【図３Ｂ】本発明の一実施例による壁掛け型テレビの画面位置調節装置の昇降操作部を示す正面図である。
【図４】本発明の一実施例による壁掛け型テレビの画面位置調節装置を示す分解斜視図である。
【図５】本発明の一実施例による壁掛け型テレビの画面位置調節装置を示す組立状態での正面図である。
【図６】本発明の一実施例による壁掛け型テレビの画面位置調節装置の作動状態を示す概略側面図である。
【符号の説明】
【００２９】
５  壁体
８  テレビジョン装置
１０  固定プレート
１２  固定レール
１４  スライダー
１６  ナット固定部
１８  締結孔
１９  貫通孔
２０  昇降プレート
２０ａ  下端屈曲部
２０ｂ  両端屈曲部
２０ｃ  スクリュー挿入部
２２  スクリュー支持部  
２４  ギアボックス固定部
２５  締結孔
３０  昇降操作部
３１  モーター
３１ａ  ロッド
３２  ギアボックス
３３  リードスクリュー
３４  リードナット
【図１】
2007259452.tif 000003
【図２Ａ】
2007259452.tif 000004
【図２Ｂ】
2007259452.tif 000005
【図３Ａ】
2007259452.tif 000006
【図３Ｂ】
2007259452.tif 000007
【図４】
2007259452.tif 000008
【図５】
2007259452.tif 000009
【図６】
2007259452.tif 000010